(57)【要約】【課題】遠近両用眼鏡の使用者が歩行する際の安全性を確保するとともに、遠近両用眼鏡の使用による眼の疲れなどを生じない遠近両用眼鏡レンズを実現する。【解決手段】眼鏡レンズ１１における眼鏡フレームの中間バー側の端部に、遠視用の凸レンズ部１３を所定幅をもって設け、近視用の凹レンズ部１２は、眼鏡レンズ１１の上端から下端にわたって形成する。凸レンズ部１３の球面の頂点ＶＣと、凹レンズ部１２の球面の頂点ＶＤは、眼鏡使用者が前方を直視したときの左右両眼球の各眼軸を結ぶ直線上に位置するようにする。【選択図】        図１
2004317535.tif 000002
【特許請求の範囲】
【請求項１】
近視用の凹レンズ部（１２）が眼鏡レンズ（１１）の主要部分をなし、遠視用の凸レンズ部（１３）が前記眼鏡レンズに部分的に設けられた遠近両用眼鏡レンズであって、
前記凸レンズ部の球面の頂点（ＶＣ）と、前記凹レンズ部の球面の頂点（ＶＤ）が、眼鏡使用者が前方を直視したときの左右両眼球の各眼軸を結ぶ直線上に位置し、かつ、前記眼鏡レンズが装着される眼鏡フレームの中間バー側の前記眼鏡レンズの端部に前記凸レンズ部が所定幅をもって設けられたことを特徴とする遠近両用眼鏡レンズ。
【発明の詳細な説明】
【０００１】
【発明の属する技術分野】
本発明は遠近両用眼鏡レンズに関する。具体的には、遠近両用眼鏡の使用者が歩行する際の安全性を確保することができるとともに、遠近両用眼鏡の使用による眼の疲れなどを生じない遠近両用眼鏡レンズを提供せんとするものである。
【０００２】
【従来の技術】
従来より一般に用いられている遠近両用眼鏡レンズの構成を、図３に示し説明する。ここで、図３（ａ）は、この従来例の構成を示す平面図、図３（ｂ）は、図３（ａ）のＡ−Ａ線に沿う断面図である。
【０００３】
図３（ａ）において、平面形状が楕円状に形状された遠近両用の眼鏡レンズ２１は、眼球への入射光の屈折角を小さくして焦点距離を長くするための近視用の凹レンズ部２２と、入射光の屈折角を大きくして焦点距離を短くするための、略半円状の遠視用の凸レンズ部２３からなっている。
【０００４】
そして、近視用の凹レンズ部２２が、眼鏡レンズ２１の主要部分をなし、遠視用の凸レンズ部２３の面積は、近視用の凹レンズ部２２の面積の数分の１となっている。また、凸レンズ部２３は、凹レンズ部２２の球面の頂点Ｖ（図３（ｂ））よりは図面上で下方（眼鏡使用者が前方を直視したときの眼球の眼軸より下方）の部位に設けられている。
【０００５】
そこで、このように構成された遠近両用の眼鏡レンズ２１付きの眼鏡を、近視眼であり遠視眼である者が、視力矯正のために使用した場合は、遠方にあるものは近視用の凹レンズ部２２を、近方にあるものは遠視用の凸レンズ部２３をそれぞれ通して見ることになる。
【０００６】
【発明が解決しようとする課題】
しかしながら、図３により説明した従来例によると、つぎのような解決すべき課題がある。すなわち、眼鏡レンズ２１の凸レンズ部２３は、眼鏡使用者が前方を直視したときの眼球の眼軸よりは下方に位置している。したがって、眼鏡使用者が、足元を見る場合は、凸レンズ部２３を通して見ることになる。
【０００７】
しかし、凸レンズ部２３の焦点距離は、数十センチメートルであることから、足元の状況や足元にあるものは、眼球の網膜に結像することなく、ぼけてしまう。その結果、眼鏡使用者は、階段やエレベータ、段差がある場所、路上の突起物がある箇所あるいは凹凸のある悪路などにおいては、足元を明確に視認することができず、場合によっては転倒するなどの危険性があった。
【０００８】
また、凸レンズ部２３を通して近方を見る場合は、眼球の眼軸を下向きにするために、その都度眼球の方向を下方に変えなければならない。そのため、眼球の方向を変えるときに使用される眼筋の使用頻度が多くなり、眼筋に疲労が蓄積されて疲れ目や眼やにの原因となる。また、外界からの光が入射する角膜の磨耗をもたらし、疲れ目による種々の症状を惹起してしまう。以上のような解決すべき課題が、図３に示した従来例にはあった。
【０００９】
【課題を解決するための手段】
そこで、上記課題を解決するために、本発明はなされたものである。そのために、本願発明者は、つぎのような手段を案出した。すなわち、近視用の凹レンズ部を主要部分とし、遠視用の凸レンズ部を部分的に設ける遠近両用眼鏡レンズにおいて、凸レンズ部の球面の頂点と、凹レンズ部の球面の頂点が、眼鏡使用者が前方を直視したときの左右両眼球の各眼軸を結ぶ直線上に位置するようにし、かつ、眼鏡レンズが装着される眼鏡フレームの中間バー側の眼鏡レンズの端部に、凸レンズ部を所定幅をもって設けるようにした。
【００１０】
【発明の実施の形態】
本発明の実施の形態を図１に示し説明する。ここで、図１（ａ）は、本実施の形態における遠近両用眼鏡レンズの構成を示す平面図、図１（ｂ）は、図１（ａ）のＡ−Ａ線に沿う断面図である。
【００１１】
図１（ａ）において、本発明による遠近両用眼鏡レンズでは、眼鏡レンズ１１における眼鏡フレームの中間バー側の端部に、遠視用の凸レンズ部１３を所定幅をもって設けている。その結果、近視用の凹レンズ部１２は、眼鏡レンズ１１の上端から下端にわたって形成されている。また、凸レンズ部１３の球面の頂点ＶＣと、凹レンズ部１２の球面の頂点ＶＤは、眼鏡使用者が前方を直視したときの左右両眼球の各眼軸を結ぶ直線上に位置している。
【００１２】
ここにおける凸レンズ部１３の横幅Ｗは、とくに限定されるものではないが、遠方を見るときの妨げとならないように設定する。具体的には、眼鏡レンズ１１のサイズに応じて８〜２０ｍｍ程度の範囲で設定するのが好ましい。また、縦幅も、とくに限定されるものではなく、眼鏡レンズ１１のサイズに応じて、横幅Ｗと同じく８〜２０ｍｍ程度の範囲で設定するのが好ましい。
【００１３】
このような構成の眼鏡レンズ１１を用いるならば、足元の状況や足元にあるものを見る場合は、焦点距離が長い凹レンズ部１２を通して見ることになる。したがって、眼鏡使用者は、足元を明確に視認することができ、段差がある場所や突起物がある路上などにおいても、安全に歩行することが可能となる。
【００１４】
また、近方を見る場合、図２に示す、左右両眼ＥＬ，ＥＲそれぞれの、左眼用・右眼用の各眼鏡レンズ１１Ｌ，１１Ｒを通り対象物Ｔに向けられた各中心視線ＧＬ，ＧＲがなす輻輳角θは、遠方を見る場合よりも若干は大きくなる。
【００１５】
しかし、その場合、眼球の眼軸が、眼鏡フレームの中間バー側に向けて水平方向において移動する距離は、従来例において近方を見る場合に眼球の眼軸を下方に移動させる場合と比較して、極めて僅かである。すなわち、眼球の方向を変える際に使用される眼筋に与える負担が、著しく軽減される。したがって、眼筋の酷使や角膜の磨耗による疲れ目や眼やになどの症状を、改善することが可能となる。
【００１６】
【発明の効果】
以上の説明から明らかなように、本発明による遠近両用眼鏡レンズでは、眼鏡レンズにおける眼鏡フレームの中間バー側の端部に、遠視用の凸レンズ部を設け、近視用の凹レンズ部は、眼鏡レンズの上端から下端にわたって形成するようにした。その結果、眼鏡使用者は、焦点距離が長い凹レンズ部を通して、足元の状況や足元にあるものを明確に視認することができ、段差がある場所や凹凸のある悪路などにおいても、安全に歩行することが可能となる。
【００１７】
また、近方を見る場合の眼鏡使用者の眼球の眼軸は、眼鏡フレームの中間バー側に向けて水平方向において移動し、その移動距離は、従来例において近方を見る場合に眼球の眼軸を下方に移動させる場合よりも極めて短い。その結果、眼筋に与える負担が著しく軽減され、眼筋の過度の使用や角膜の磨耗による疲れ目や眼やになどの症状を改善することが可能となる。したがって、本発明がもたらす効果は、実用上極めて大きい。
【図面の簡単な説明】
【図１】本発明の実施の形態を示す構成図である。
【図２】左右両眼の各中心視線がなす輻輳角を説明するための説明図である。
【図３】従来例の構成を示す構成図である。
【符号の説明】
１１，１１Ｌ，１１Ｒ  眼鏡レンズ
１２  凹レンズ部
１３  凸レンズ部
２１  眼鏡レンズ
２２  凹レンズ部
２３  凸レンズ部
ＥＬ，ＥＲ  眼球
ＧＬ，ＧＲ  中心視線
Ｔ  対象物
Ｖ，ＶＣ，ＶＤ  頂点
【図１】
2004317535.tif 000003
【図２】
2004317535.tif 000004
【図３】
2004317535.tif 000005